(57)【特許請求の範囲】
【請求項１】
発泡樹脂で成形した断熱材と、この断熱材の表面に形成したガイド溝と、ガイド溝に敷いたパイプと、断熱材の表面に敷いた放熱材としての金属箔とを備え、これら断熱材及び金属箔の上に、直接的あるいは間接的に表面材を敷く構成にした冷暖房用畳において、断熱材あるいは金属箔の積層面のうち、いずれか一方にこれら断熱材あるいは金属箔の摩擦係数よりも小さな摩擦係数を有する樹脂をコーティング加工した樹脂層を形成し、この樹脂層を、上記断熱材及び金属箔の積層面のうち少なくともいずれか一方に対して滑動自在にする構成にしたことを特徴とする冷暖房用敷設体。
【発明の詳細な説明】
【０００１】
【発明の属する技術分野】
この発明は、発泡樹脂で成形した断熱材と放熱材である金属箔との積層構造を有する冷暖房用敷設体に関する。
【０００２】
【従来の技術】
図２に、従来から知られている冷暖房用敷設畳を示す。
畳とほぼ同じ大きさの断熱材１は、発泡樹脂で成形している。そして、この断熱材１の積層面に、パイプ２を敷設するためのガイド溝３を形成している。
このようにした断熱材１の成形法としては、ビーズ発泡成形法と、連続押し出し発泡成形法とが知られている。ただし、連続押し出し発泡成形法では、断熱材１を成形した後に、ガイド溝３を切削して形成しなければならない。そういった意味では、ガイド溝３を一体に形成できるビーズ発泡法で断熱材１を成形するほうが、主に加工面で有利である。
【０００３】
上記ガイド溝３を含めた断熱材１の積層面には、放熱材としてアルミ等の金属箔４を敷いている。そして、この金属箔４を敷いたガイド溝３に、パイプ２を敷設している。
ガイド溝３にパイプ２を敷設したら、さらに別の金属箔を敷き、その上に樹脂製の中空積層板５を積層する。この中空積層板５は、その内部に含まれた空気層によって、畳としてのクッション性を発揮するものである。
そして、パイプ２を傷つけないようにしながら、これら積層する断熱材１、金属箔４、中空積層板５を縫い付けて一体化させるとともに、図示しないが、その表面に表面材として畳表を設け、冷暖房用敷設畳を完成させている。
このようにして完成させた冷暖房用敷設畳を、図示しない床板に敷き詰める。そして、パイプ２に冷水あるいは温水を流すようにセッテイングすれば、冷暖房を行うことができる。
【０００４】
【発明が解決しようとする課題】
しかし、上記従来例の冷暖房用敷設畳では、その上を人が歩行あるいは、乗り降りしたような場合に、キュッキュッといった不快な音が発生することがあった。この音の主な原因としては、次のようなことが実験的に判明している。つまり、人が歩行、あるいは、乗り降りしたようなとき、その荷重によって金属箔４や断熱材１が局部的にたわみ、これら断熱材１が金属箔４と擦りあって、不快な音が発生しまう。また、その後に断熱材１が復元する際にも、金属箔４と擦りあって、不快な音が発生してしまう。
特に、上記従来例のように、断熱材１をビーズ発泡成形法で成形した場合、ガイド溝３を含めた表面すべてに、スキン層といわれる比較的低発泡で硬い層が形成されるため、この不快な音が発生しやすくなる。
また、パイプ２に急に高温水を流したような場合にも、断熱材１と金属箔４との膨張率の違いから、その伸縮に差が生じ、両者が擦りあって不快な音が発生することがあった。
【０００５】
さらに、この冷暖房用敷設畳を長期間使用すると、断熱材１の表面に凹凸が形成されたり、断熱材１の反発弾性が損なわれたりして、断熱材１、金属箔４、中空積層板５の縫い付けが緩くなる。そのため、その分、金属箔４と断熱材１とが多く擦りあい、この不快な音が発生しやすくなる。
しかも、いったん冷暖房用敷設畳を部屋に敷き詰めると、荷重が均一に加わるのでなく、その荷重が加わる場所はある程度決められる。そのため、人が歩いたりする場所ほど、不快な音が発生しやすくなってしまう。
この発明の目的は、不快な音が発生するのを防止できる冷暖房用敷設体を提供することである。
【０００６】
【課題を解決するための手段】
この発明は、発泡樹脂で成形した断熱材と、この断熱材の表面に形成したガイド溝と、ガイド溝に敷いたパイプと、断熱材の表面に敷いた放熱材としての金属箔とを備え、これら断熱材及び金属箔の上に、直接的あるいは間接的に表面材を敷く構成にした冷暖房用畳を前提とする。
そして、この発明は、断熱材あるいは金属箔の積層面のうち、いずれか一方にこれら断熱材あるいは金属箔の摩擦係数よりも小さな摩擦係数を有する樹脂をコーティング加工した樹脂層を形成し、この樹脂層を、上記断熱材及び金属箔の積層面のうち少なくともいずれか一方に対して滑動自在にした点に特徴を有する。
【０００７】
【発明の実施の形態】
図１に示した実施例は、断熱材１と金属箔４の積層面のうち、いずれか一方に低密度ポリエチレンをコーティングして樹脂層６を形成したものである。そして、コーティング材としてポリエチレンを用いたのは、ポリエチレンが断熱材１及び金属箔４よりも摩擦係数が小さいからである。したがって、断熱材１及び金属箔４の摩擦係数よりも小さな摩擦係数を有するものであれば、ポリエチレン以外の樹脂を用いてコーティングしてもよい。
なお、上記以外の構成は上記従来例と同じなので、以下では、その詳細な説明を省略する。
【０００８】
次に、この実施例の冷暖房用敷設畳の作用を説明する。
例えば、この冷暖房用敷設畳の上を人が歩いたり、乗り降りしたりすると、その荷重のため金属箔４が潰され、断熱材１をたわませる。そして、たわんだ断熱材１が復元しようと、金属箔４を押し上げるが、このとき、金属箔４はポリエチレンシートをコーティングした樹脂層６に対して滑りながら復元することになる。また、断熱材１も、同様に上記樹脂層６に対して滑りながら復元することになる。したがって、これら金属箔４と断熱材１とが擦りあうことがなく、不快な音が発生しない。
以上述べた実施例によれば、冷暖房用敷設畳の上を人が歩行、あるいは、乗り降りしたようなとき、キュッキュッといった不快な音が発生することがない。しかも、この冷暖房用敷設畳を長期間使用して、断熱材１の表面に凹凸が形成されたとしても、金属箔４の滑る面が広くなっただけで、その音はほとんど発生しない。
【０００９】
また、断熱材１及び金属箔４の積層面のうち、いずれか一方に予め樹脂層６をコーティングしておくことによって、例えばポリエチレンからなるシートを敷く場合よりも、製造工程を簡略化することができる。なぜなら、ポリエチレンからなるシートを用いて、それを敷く場合には、断熱材１の上に上記ポリエチレンシートを敷き、さらにその上に金属箔４を敷くといったように手間がかかるからである。このようなことを考えれば、この実施例では、樹脂層６を形成しない従来例と、全く同じ製造工程で冷暖房用敷設畳を製造することができる。
【００１０】
さらに、上記のようにポリエチレンをコーティング加工しておけば、この金属箔４に適度な弾力と抗張力とを付加することができるので、その金属箔４がしわになりにくく、破れにくくなるといった効果を得ることもできる。
【００１１】
なお、上記実施例では、冷暖房用敷設畳について説明したが、例えば、表面材としてフローリング材を用いたタイプのものであってもよい。
【００１２】
【発明の効果】
この発明によれば、断熱材あるいは金属箔が樹脂層に対して滑るだけなので、その上を人が歩いたりしても、断熱材と金属箔とが擦りあわず、キュッキュッといった不快な音が発生することがない。しかも、この冷暖房用敷設畳を長期間使用しても、その音はほとんど発生しない。
また、樹脂層を形成しないときと全く同じ製造工程で冷暖房用敷設体を製造することができる。
【図面の簡単な説明】
【図１】  この発明の実施例の冷暖房用敷設畳を示す断面図である。
【図２】  従来例の冷暖房用敷設畳を示す断面図である。
【符号の説明】
１    断熱材
２    パイプ
３    ガイド溝
４    金属箔
５    中空積層板
６    樹脂層

【図１】
0003653525.tif 000002
【図２】
0003653525.tif 000003